【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
ズーミング機能を有し、カメラ装置に着脱可能なレンズ装置であって、
前記カメラ装置での撮像により得られた画像データに対する光量補償処理のための情報を記憶する記憶部と、
前記カメラ装置に対して前記情報を送信する通信部と、
を有し、
前記情報は、複数の焦点距離のそれぞれに関して、像高に関するｎ次多項式（ｎは、非負の整数）の係数の情報を含み、
前記複数の焦点距離は、絞り開放かつ広角端での実効ＦナンバーをＦｎｗとし、絞り開放かつ望遠端での実効ＦナンバーをＦｎｔとし、望遠端での焦点距離をｆｔとして、条件式
０．９＜ｆ／（ｆｔ×Ｆｎｗ／Ｆｎｔ）＜４
を満足する焦点距離ｆを含む、
ことを特徴とするレンズ装置。
【請求項２】
Δｆを、広角端での焦点距離をｆｗとして式
Δｆ＝０．２×（ｆｔ−ｆｗ）
で定義されるものとし、前記複数の焦点距離のうち、（ｆ−Δｆ）以上（ｆ＋Δｆ）以下の範囲に含まれる焦点距離の数をＮ（ｆ±Δｆ）とし、絞り開放かつ焦点距離ｆでの実効ＦナンバーをＦｎｆとし、絞り開放かつ焦点距離ｆ−Δｆでの実効ＦナンバーをＦｎ（ｆ−Δｆ）とし、絞り開放かつ焦点距離ｆ＋Δｆでの実効ＦナンバーをＦｎ（ｆ＋Δｆ）として、条件式
０．５＜（Ｆｎ（ｆ＋Δｆ）−Ｆｎｆ）−（Ｆｎｆ−Ｆｎ（ｆ−Δｆ））＜５．０
を満足する焦点距離ｆの範囲において、条件式
０．０１＜（（Ｆｎ（ｆ＋Δｆ）−Ｆｎｆ）−(Ｆｎｆ−Ｆｎ（ｆ−Δｆ）））／Ｎ（ｆ±Δｆ）＜０．２
を満足することを特徴とする請求項１に記載のレンズ装置。
【請求項３】
ズームレンズ群と、フォーカスレンズ群と、開口絞りとを含み、
前記情報は、前記ズームレンズ群の状態と、前記フォーカスレンズ群の状態と、前記開口絞りの状態との間の複数の組合せのそれぞれに関するものであることを特徴とする請求項１または請求項２に記載のレンズ装置。
【請求項４】
前記係数は、像高をｈとして、前記ｎ次多項式としての３次多項式
Ｄｃ＝Ｃ３×ｈ３＋Ｃ２×ｈ２＋Ｃ１×ｈ＋Ｃ０
における係数Ｃ０、係数Ｃ１、係数Ｃ２、および係数Ｃ３を含み、
前記係数Ｃ２および前記係数Ｃ３は、条件式
−０．１＜Ｃ２＋６×Ｃ３＜０．３
を満足することを特徴とする請求項１ないし請求項３のうちいずれか１項に記載のレンズ装置。
【請求項５】
前記係数は、像高をｈとして、前記ｎ次多項式としての４次多項式
Ｄｃ＝Ｃ４×ｈ４＋Ｃ３×ｈ３＋Ｃ２×ｈ２＋Ｃ１×ｈ＋Ｃ０
における係数Ｃ０、係数Ｃ１、係数Ｃ２、係数Ｃ３、および係数Ｃ４を含み、
前記係数Ｃ３および前記係数Ｃ４は、条件式
−０．１＜Ｃ３＋８×Ｃ４＜０．１
を満足することを特徴とする請求項１ないし請求項３のうちいずれか１項に記載のレンズ装置。
【請求項６】
前記係数のうち、前記ｎ次多項式における０次の項の係数のみを前記カメラ装置に送信する動作モードを有することを特徴とする請求項１ないし請求項５のうちいずれか１項に記載のレンズ装置。
【請求項７】
前記レンズ装置のズーム状態Ｚでの前記ｎ次多項式における０次の項の係数をＣ０（Ｚ）とし、絞り開放かつ前記ズーム状態Ｚでの実効ＦナンバーをＦｎ（Ｚ）として、条件式
０．７＜Ｃ０（Ｚ）×（Ｆｎｗ／Ｆｎ（Ｚ））２＜１．３
を満足することを特徴とする請求項１ないし請求項６のうちいずれか１項に記載のレンズ装置。
【請求項８】
最も物体側に配置され、ズーミングのためには移動せず、フォーカスレンズ群を含み、かつ正の屈折力を有する第１レンズ群を有することを特徴とする請求項１ないし請求項７のうちいずれか１項に記載のレンズ装置。
【請求項９】
光路に対する挿抜が可能なエクステンダレンズ群と、
前記挿抜の状態を検出する検出部と、
を有し、
前記状態に基づいて、前記係数を変更する、
ことを特徴とする請求項１ないし請求項８のうちいずれか１項に記載のレンズ装置。
【請求項１０】
０．９５＜ｆ／（ｆｔ×Ｆｎｗ／Ｆｎｔ）≦１．７
を満足する焦点距離ｆを含む、
ことを特徴とする請求項１ないし請求項９のうちいずれか１項に記載のレンズ装置。
【請求項１１】
請求項１ないし請求項１０のうちいずれか１項に記載のレンズ装置と、
前記レンズ装置により形成された像を撮像する撮像素子と、
を有することを特徴とする撮像装置。
【請求項１２】
請求項１ないし請求項１０のうちいずれか１項に記載のレンズ装置から受信した前記情報に基づいて、前記光量補償処理を行うことを特徴とする処理装置。
【請求項１３】
請求項１２に記載の処理装置を含むことを特徴とするカメラ装置。
【手続補正２】
【補正対象書類名】明細書
【補正対象項目名】０００９
【補正方法】変更
【補正の内容】
【０００９】
上記目的を達成するため、本発明のレンズ装置は、カメラ装置に着脱可能な、ズーミング機能を有するレンズ装置であって、
前記カメラ装置での撮像により得られた画像データに対する光量補償処理のための情報を記憶する記憶部と、
前記カメラ装置に対して前記情報を送信する通信部と、
を有し、
前記情報は、複数の焦点距離のそれぞれに関して、像高に関するｎ次多項式（ｎは、非負の整数）の係数の情報を含み、
前記複数の焦点距離は、絞り開放かつ広角端での実効ＦナンバーをＦｎｗとし、絞り開放かつ望遠端での実効ＦナンバーをＦｎｔとし、望遠端での焦点距離をｆｔとして、条件式
０．９＜ｆ／（ｆｔ×Ｆｎｗ／Ｆｎｔ）＜４
を満足する焦点距離ｆを含む、ことを特徴とする。
【手続補正３】
【補正対象書類名】明細書
【補正対象項目名】００１５
【補正方法】変更
【補正の内容】
【００１５】
ズームレンズ１０２は撮影時のズーミングのために移動するレンズ群である。図１には概略図を示したが、ズーム時可動のレンズ群を３つ以上有してもよい。
【手続補正４】
【補正対象書類名】明細書
【補正対象項目名】００４５
【補正方法】変更
【補正の内容】
【００４５】
本発明の交換レンズは、焦点距離の分割点における補正データとして光量補正用データを有する。広角端の実効ＦナンバーをＦｎｗ、望遠端の実効ＦナンバーをＦｎｔ、望遠端の焦点距離をｆｔとしたとき、
０．９＜ｆ／（ｆｔ×Ｆｎｗ／Ｆｎｔ）＜４  ・・・（１）
を満たす焦点距離ｆの範囲において、ズーム分割点を少なくとも１点有する。
【手続補正５】
【補正対象書類名】明細書
【補正対象項目名】００６１
【補正方法】変更
【補正の内容】
【００６１】
本発明の更なる実施態様として、像高ｈに関して０次の係数である定数項のＣ０が条件式（９）を満たすことが望ましい。
０．７＜Ｃ０×（Ｆｎｗ(Zw,F,I)／Ｆｎ(Z,F,I)）2＜１．３  ・・・（９）
【手続補正６】
【補正対象書類名】明細書
【補正対象項目名】００６２
【補正方法】変更
【補正の内容】
【００６２】
但し、各光学パラメータにおける実効ＦナンバーをＦｎ(Z,F,I)、広角端焦点距離をＺｗとし、広角端における実効ＦナンバーをＦｎｗ(Zw,F,I)とする。定数項である係数Ｃ０は、ズーム状態Ｚ、フォーカス状態Ｆ、アイリス状態に関する情報Ｉの関数として、
Ｃ０(Z,F,I)＝（Ｆｎ(Z,F,I)／Ｆｎｗ(Zw,F,I)）2  ・・・（１０）
なる条件を満足することで、理論的には光量を正確に補正することが可能である。しかしながら、最終的にユーザーが確認する状況では、撮像素子の特性を含めた撮像装置の処理、撮像装置から送信される信号以降の処理等の影響を受ける。また、通信や記録装置の容量による制約により限られたデータ量で補正する場合、補間処理も考慮すると必ずしも式（１０）を満足させることが良いとは限らない。
よって、条件式（９）の範囲で適切に設定するのが良い。
【手続補正７】
【補正対象書類名】明細書
【補正対象項目名】００６８
【補正方法】変更
【補正の内容】
【００６８】
更に好ましくは条件式（１）、（２）、（６）、（８）、（９）の数値範囲を次の如く設定することが好ましい。
０．９５＜ｆ／（ｆｔ×Ｆｎｗ／Ｆｎｔ）＜１．２  ・・・（１ａ）
０．０２＜（(Ｆn(f+Δf)−Ｆnf) − (Ｆnf−Ｆn(f-Δf))）／Ｎ(f±Δf)＜０．１５
・・・（２ａ）
−０．０５＜Ｃ２＋６×Ｃ３＜０．１  ・・・（６ａ）
−０．０５＜Ｃ３＋８×Ｃ４＜０．０５  ・・・（８ａ）
０．９＜Ｃ(Z,F,I)×（Ｆｎｗ(Zw,F,I)／Ｆｎ(Z,F,I)）2＜１．１  ・・・（９ａ）